(57)【特許請求の範囲】
【請求項１】
座部と背もたれ部とを備え、座部に空気の給排気で膨張・収縮するエアバッグを内蔵した椅子式マッサージ機であって、エアバッグを内蔵する第１クッション部と内蔵しない第２クッション部とに分割すると共に前記第１クッション部と前記第２クッション部の端部を折り畳み自在に連結したクッション部材を備え、
前記第１クッション部の上方に前記第２クッション部を配置した前記クッション部材の折り畳み状態で、前記第２クッション部を座面として前記エアバックを膨張・収縮させることを特徴とする椅子式マッサージ機。
【請求項２】
前記第１クッション部は横に並べた複数個のエアバッグを内蔵すると共に、各エアバッグの膨らみ量を調整可能としたことを特徴とする請求項1記載の椅子式マッサージ機。
【発明の詳細な説明】
【技術分野】
【０００１】
本発明は、椅子式マッサージ機に関するものである。
【背景技術】
【０００２】
従来より、図６の座部２にエアバッグ４を設け、このエアバッグ４にポンプからの空気の供給で膨張させると共に、空気の排出で収縮させることで、施療者の大腿部のマッサージ効果が得られるマッサージ機が知られている（例えば、特許文献１参照）。
【０００３】
ところが、上記特許文献１に見られる従来例では、エアバッグ４が外部に現れて外観を損ない、そのうえエアバッグ４の生地に弛みによるシワが目立ち、外観上の仕上がりが悪いという課題を有していた。また大きな膨らみ量が必要な場合は、生地に負担がかかりやすく、寿命が短くなるため、結局、膨らみ量を抑える必要があった。
【０００４】
なお、エアバッグ４を覆う生地としてストレッチ性の生地を用いることも考えられるが、ストレッチ性の生地は伸縮性に優れるものの、一般に布帛が厚くなるため外観上の仕上がりが悪く、しかも硬くて膨らみ量を大きくできなかったり、人体へのフィット感が低下したりするなど、消費者の要求を満たす十分なマッサージ特性を得ることができないものである。
【特許文献１】特開２００６−２５５１５５号公報
【発明の開示】
【発明が解決しようとする課題】
【０００５】
本発明は上記の従来の問題点に鑑みて発明したものであって、外観がよく、しかもエアバッグの大きな膨らみ量を確保できるクッション部材を備えた椅子式マッサージ機を提供することを課題とするものである。
【課題を解決するための手段】
【０００６】
前記課題を解決するために本発明は、座部２と背もたれ部３とを備え、座部２に空気の給排気で膨張・収縮するエアバッグ４を内蔵した椅子式マッサージ機であって、エアバッグ４を内蔵する第１クッション部５と内蔵しない第２クッション部６とに分割すると共に第１クッション部５と第２クッション部６の端部を折り畳み自在に連結したクッション部材７を備え、第１クッション部５の上方に第２クッション部５を配置した該クッション部材７の折り畳み状態で、第２クッション部６を座面としてエアバック４を膨張・収縮させることを特徴としている。
【０００７】
このような構成とすることで、外観上見える第２クッション部６はエアバッグ４を内蔵しないため、ストレッチ性の生地を使用する必要がなく、外観上の仕上がりを良好にできると共に、生地に弛みによるシワが生じることを防止できる。さらに第１クッション部５と第２クッション部６とは端部のみで連結されているため、エアバッグ４を内蔵する第１クッション部５において、エアバッグ４の膨張に対する負荷が少なくなり、これにより大きな膨らみ量が確保できるようになる。
【０００８】
また、上記第１クッション部５は横に並べた複数個のエアバッグ４を内蔵すると共に、各エアバッグ４の膨らみ量を調整可能としたことを特徴とするのが好ましく、この場合、エアバッグ４の個々の膨らみ量の調整によって座面となる第２クッション部６の角度を変化させることが可能となり、マッサージのバリエーションが増加すると共に座面への乗り降りを容易にできるような膨らみ量の調整も可能となる。
【発明の効果】
【０００９】
本発明は、エアバッグを内蔵する第１クッション部と内蔵しない第２クッション部とを折り畳み自在に連結したクッション部材を折り畳み状態にして第２クッション部を座面としたことにより、第２クッション部の外観上の仕上がりを良好にできると共に、エアバッグを内蔵する第１クッション部の大きな膨らみ量が確保でき、外観を良好にしながらマッサージやストレッチの効果を高めることができる効果が得られる。
【発明を実施するための最良の形態】
【００１０】
以下、本発明を添付図面に示す実施形態に基いて説明する。
【００１１】
図２は、本発明の一実施形態における椅子式マッサージ機１の一例を示している。
【００１２】
本例の椅子式マッサージ機１は、座部２の後端部に背もたれ部３を略上方に向けて設け、背もたれ部３の内部に機械的施療動作を行なう機構ブロック（図示せず）を上下移動自在に配置して構成してあり、施療者Ｍは座部２に座ると共に背もたれ部３に背もたれした状態で、機構ブロックに設けた左右一対の施療子ユニットによる叩き動作、揉み動作等の機械的施療動作を行なえるようになっている。
【００１３】
ここで、上記座部２には、図１に示すような略平板状をした上下２層構造のクッション部材７が配置されている。このクッション部材７は、エアバッグ４を内蔵する第１クッション部５と、内蔵しない第２クッション部６とに分割されていると共に、これら第１クッション部５と第２クッション部６とが端部の連結部９を介して折り畳み自在に連結されている。本例では第１クッション部５の上面の２箇所に凹み１０を並べて設け、各凹み１０内にエアバッグ４をそれぞれ収納してあり、その上をストレッチ性の生地１２で覆ってある。そして、連結部９を軸にして図１（ｂ）（ｃ）のような第１クッション部５と第２クッション部６とを広げた状態から図１（ａ）の折り畳んだ状態に開閉自在とされており、この折り畳み状態で図２のように第２クッション部６を座面としたものである。なお、椅子式マッサージ機１には、エアバッグ４にポンプからの空気を給排気する制御部（図示せず）と操作部（図示せず）とが備わっている。そして、各エアバッグ４に空気を供給することで、エアバッグ４が膨張して第２クッション部６を持ち上げる状態（図４（ｂ））となり、各エアバッグ４の空気を排気することで、エアバッグ４が収縮して第２クッション部６が押し下げられる状態（図４（ａ））となり、このとき第１クッション部５と第２クッション部６とが重なり合うようになっている。
【００１４】
しかして、上記構成のクッション部材７の折り畳み状態で第２クッション部６を上向きにして座部２に配置することによって、外観上見える第２クッション部６には、ストレッチ性の生地を使用する必要がなくなり、外観上の仕上がりがきわめて良好となる。つまり座面となる第２クッション部６にはエアバッグ４が内蔵されていないため、エアバッグ４による外観低下を防止できると共に、第２クッション部６は膨張・収縮するものではなく、第１クッション部５のエアバッグ４の膨張によって上方に持ち上げられたり、下方に押し下げられたりするだけであるため、第２クッション部６の生地には負担がかからなくなり、従って、ストレッチ性の生地を使用しなくても生地に弛みによるシワが生じにくくなり、外観が損なわれることがないものである。従って、第２クッション部６の生地には、外観が良く、薄くて人体へのフィット感が良い素材を選択できると共に、生地に負荷がかからないため、寿命を伸ばすことができる。なお第１クッション部５はストレッチ性の生地１２を使用しているが、このストレッチ性の生地１２は第２クッション部６で覆い隠されるため、外観を損なうこともない。
【００１５】
さらに第１クッション部５と第２クッション部６とは端部のみでしか連結されていないので、エアバッグ４を内蔵する第１クッション部５において、エアバッグ４の膨張に対する負荷が少なくなり、これにより大きな膨らみ量が確保でき、マッサージやストレッチの効果が大きくなり、消費者の要求を満たす十分なマッサージ特性を得ることができる。
【００１６】
そのうえ第２クッション部６が上から第１クッション部５を押さえる形となるので、第１クッション部５に内蔵したエアバッグ４が位置ずれする心配もなく、狙い通りのマッサージ効果が得られる利点がある。
【００１７】
また本例では、第１クッション部５には２個のエアバッグ４を内蔵すると共に、各エアバッグ４の膨らみ量を調整可能としたものである。これにより、個々のエアバッグ４の膨らみ量を調整することによって第２クッション部６の角度を変化させることが可能となり、マッサージのバリエーションが増加すると共に、例えば、エアバッグ４の膨らみによって座面となる第２クッション部６を後ろ上り姿勢に調整することで、第２クッション部６に対する乗り降りが容易にできる利点もある。
【００１８】
なお、第１クッション部５に内蔵するエアバッグ４の数、位置は適宜設計変更自在であり、例えば図５（ａ）のように連結部９の長さ方向と直交する方向に縦長の２個1組、計２組のエアバッグ４を、連結部９の長さ方向に間隔をあけて配置したものであってもよく、或いは図５（ｂ）のように、連結部９の長さ方向と平行な方向に横長の２個1組、計2組のエアバッグ４を、連結部９の長さ方向と直交する方向に間隔をあけて配置したものであってもよいものであり、このようにさまざまな配置のバリエーションを適宜採用可能である。
【図面の簡単な説明】
【００１９】
【図１】本発明の一実施形態に用いるクッション部材を示し、（ａ）は折り畳み状態を示し、（ｂ）（ｃ）は広げた状態を示す斜視図である。
【図２】同上のクッション部材を座部に配置した椅子式マッサージ機の斜視図である。
【図３】（ａ）は同上のクッション部材が収縮した状態を示す使用状態側面図であり、（ｂ）はクッション部材が膨張した状態を示す使用状態側面図である。
【図４】（ａ）は同上の第１クッション部のエアバッグが収縮した状態の説明図であり、（ｂ）は第１クッション部のエアバッグが膨張した状態の説明図である。
【図５】（ａ）（ｂ）は本発明の他の実施形態の説明図である。
【図６】従来例の説明図である。
【符号の説明】
【００２０】
１  椅子式マッサージ機
２  座部
３  背もたれ部
４  エアバッグ
５  第１クッション部
６  第２クッション部
７  クッション部材
【図１】
0004893572.tif 000002
【図２】
0004893572.tif 000003
【図３】
0004893572.tif 000004
【図４】
0004893572.tif 000005
【図５】
0004893572.tif 000006
【図６】
0004893572.tif 000007